(57)【特許請求の範囲】
【請求項１】
塗布具収容部を備える容器本体と、蝶番部を介して該容器本体に開閉可能に取り付けられる蓋体とを備える化粧用コンパクトケースであって、
前記蓋体と同一の回動軸に枢着され、前記塗布具収容部に延在する塗布具持上げ部材を有し、
前記塗布具持上げ部材には、前記蓋体の回動操作によって蓋側係止部に係止して該塗布具持上げ部材を回動する係止部が設けられ、
前記塗布具持上げ部材は、蓋体の回動操作の途中で該塗布具持上げ部材の回動を制限するストッパー部を備え、
前記塗布具持上げ部材の係止部は、該塗布具持上げ部材の回動が制限されると、前記蓋体の回動操作力によって蓋側係止部との係止を解除可能に形成されている化粧用コンパクトケース。
【請求項２】
前記塗布具持上げ部材の係止部は、該塗布具持上げ部材の枢着部の周方向の周面に形成された、前記蝶番部の軸ピンからの距離がこれの周方向両側の部分よりも大きくなった部分であり、前記蓋側係止部は前記塗布具持上げ部材の枢着部の周方向の周面に対向して設けられている請求項１に記載の化粧用コンパクトケース。
【請求項３】
前記塗布具持上げ部材の係止部と前記蓋側係止部とは、前記蓋体の閉蓋状態で前記枢着部の周方向において異なる位置に設けられている請求項１又は２に記載の化粧用コンパクトケース。
【請求項４】
前記ストッパー部は、前記塗布具持上げ部材の枢着部の外周面の容器本体側に形成され、閉蓋時に該ストッパー部と容器本体との間に隙間があり、前記塗布具持上げ部材の回動によって容器本体の一部に当接する請求項１〜３の何れかに記載の化粧用コンパクトケース。
【請求項５】
前記塗布具持上げ部材の係止部は、線状の凸リブである請求項１〜４の何れかに記載の化粧用コンパクトケース。
【発明の詳細な説明】
【技術分野】
【０００１】
本発明は、化粧用コンパクトケースに関し、特に、塗布具収容部を備える容器本体と、蝶番部を介して容器本体に開閉可能に取り付けられる蓋体とを含む化粧用コンパクトケースに関する。
【背景技術】
【０００２】
ファンデーション、チーク、アイシャドウ等の化粧料を収容する化粧用コンパクトケースとして、化粧料収容部を備える容器本体と、蝶番部を介して容器本体に開閉可能に取り付けられる蓋体とからなるものが知られている。また化粧用コンパクトケースは、例えばパフと呼ばれるスポンジ状の塗布具を用いて化粧料を擦り取って、肌面等に塗布するものであることから、塗布具が、容器本体の化粧料収容部の上方に設けた中板や、容器本体の化粧料収容部に隣接して設けた塗布具収容部に収容されている（例えば、特許文献１、特許文献２参照）。
【特許文献１】実開平５−６８４１０号公報
【特許文献２】特開２００６−３２５９２３号公報
【発明の開示】
【発明が解決しようとする課題】
【０００３】
従来の化粧用コンパクトケースでは、特に特許文献１のように容器本体の化粧料収容部の上方に中板を設けて塗布具を収容するようにしたものの場合、化粧料収容部に収容された化粧料は、その上面が中板や塗布具によって覆われた状態となっているため、蓋体を開放した際に、塗布具を取り出し易くしたり中板を回動させ易くして、化粧料の上面をスムーズに露出させる工夫がなされている。
【０００４】
これに対して、例えば特許文献２のように容器本体の化粧料収容部に隣接して塗布具収容部を設けたものの場合、蓋体を開放すれば化粧料と塗布具収容部の両方が露出することになる。しかしながら、容器本体に設けられた塗布具収容部は、例えば塗布具の形状をひと回り大きくした形状の凹部として形成されるのが一般的であり、塗布具は、塗布具収容部に嵌め込むようにして収容されていて、その周縁部分を摘み難い状態となっている。したがって、蓋体を開放した際に、塗布具を摘み易くして塗布具収容部からスムーズに取り出すことができるようにするための新たな技術の開発が望まれている。
【０００５】
本発明は、蓋体を開放した際に、塗布具収容部に収容された塗布具の周縁部分を摘み易くして、塗布具を容器本体からスムーズに取り出すことができる化粧用コンパクトケースを提供することを目的とする。
【課題を解決するための手段】
【０００６】
本発明は、塗布具収容部を備える容器本体と、蝶番部を介して該容器本体に開閉可能に取り付けられる蓋体とを備える化粧用コンパクトケースであって、前記蓋体と同一の回動軸に枢着され、前記塗布具収容部に延在する塗布具持上げ部材を有し、前記塗布具持上げ部材には、前記蓋体の回動操作によって蓋側係止部に係止して該塗布具持上げ部材を回動する係止部が設けられ、前記塗布具持上げ部材は、蓋体の回動操作の途中で該塗布具持上げ部材の回動を制限するストッパー部を備え、前記塗布具持上げ部材の係止部は、該塗布具持上げ部材の回動が制限されると、前記蓋体の回動操作力によって蓋側係止部との係止を解除可能に形成されている化粧用コンパクトケースを提供することにより、上記目的を達成したものである。
【発明の効果】
【０００７】
本発明の化粧用コンパクトケースによれば、蓋体を開いた際に、塗布具収容部に収容された塗布具の周縁部分を摘み易くして、塗布具を容器本体からスムーズに取り出すことができる。
【発明を実施するための最良の形態】
【０００８】
図1に示す本発明の好ましい一実施形態に係る化粧用コンパクトケース１０は、化粧料として例えばファンデーション（図示せず。）を容器本体１１の化粧料収容部１２に収容し、塗布具として例えばスポンジ状のパフ（図示せず。）を容器本体１１の塗布具収容部１３に収容して用いる扁平でコンパクトな形状の化粧料容器である。本実施形態の化粧用コンパクトケース１０は、蝶番部１４（図２、図３参照）を介して容器本体１１に開動可能に取り付けられた蓋体１５を開放して、塗布具収容部１３から塗布具を取り出し、取り出した塗布具を用いて化粧料収容部１２の化粧料を擦り取って、肌面等に塗布して使用する。本実施形態の化粧用コンパクトケース１０は、蓋体１５を開放した際に、塗布具収容部１３に収容された塗布具の周縁部分を摘み易くして、容器本体１１からスムーズに取り出すことを可能にする構造を備えている。
【０００９】
そして、本実施形態の化粧用コンパクトケース１０は、図２（ａ），（ｂ）及び図３（ａ），（ｂ）にも示すように、塗布具収容部１３を備える容器本体１１と、蝶番部１４を介して容器本体１１に開閉可能に取り付けられる蓋体１５とからなり、且つ蓋体１５と同一の回動軸としての蝶番部１４の軸ピン１６に枢着されて、蓋体１５の開蓋操作に伴い所定の角度範囲内で回動することにより、塗布具収容部１３の底部１７の少なくとも一部から傾斜した状態で突出する、塗布具収容部１３に延在する塗布具持上げ部材１８を備えるコンパクト容器である。塗布具持上げ部材１８の枢着部１９は、その周面に、蓋体１５を開くための回動操作に伴って当該蓋体１５に設けられた蓋側係止部２２に係止する係止部２３と、蓋側係止部２２と係止部２３とが係止して塗布具持上げ部材１８が蓋体１５の開き方向に回動する途中で塗布具持上げ部材１８の回動を制限するストッパー部２１とを備え、ストッパー部２１によって回動が制限された塗布具持上げ部材１８の係止部２３は、蓋体１５をさらに開くための回動操作力によって蓋側係止部２２との係止が解除可能に形成されている。
【００１０】
また、本実施形態では、塗布具持上げ部材１８の係止部２３は、塗布具持上げ部材１８の枢着部１９の周方向の周面に形成された、蝶番部１４の軸ピン１６からの距離がこれの周方向両側の部分よりも大きくなった部分であり、蓋体１５に設けられた蓋側係止部２２は、塗布具持上げ部材１８の枢着部１９の周方向の周面に対向する位置として、軸ピン１６を中心として塗布具持上げ部材１８の枢着部１９の周方向の外周面に沿って（周方向に）回動する部分に配置されている。本実施形態では、塗布具持上げ部材１８の係止部２３は、線状の第１凸リブ２３ａによって構成されており、蓋体１５に設けられた蓋側係止部２２は、線状の第２凸リブ２２ａによって構成されている。
【００１１】
本実施形態では、容器本体１１は、合成樹脂製の成形部品であって、例えば縦５０〜１２０ｍｍ、横５０〜１２０ｍｍ程度の大きさの略平面矩形形状を有すると共に、例えば１５〜３０ｍｍ程度の厚さで形成されている。容器本体１１は、その底板１１ａによる底面が平坦な閉塞面となっていると共に、その上部開口面に、合成樹脂製の凹部形成プレート２４が嵌め込まれるようにして取り付けられて、容器本体１１を略２等分割した一方の領域に略平面矩形形状の化粧料収容部１２を、他方の領域に略平面矩形形状の塗布具収容部１３を各々形成している。
【００１２】
また、容器本体１１の一方の長辺部分２５には、当該長辺部分２５に沿って、蝶番部１４を構成する軸ピン１６が、両端部分を長辺部分２５に埋設支持させて取り付けられている。長辺部分２５の中央部分には、蓋体１５の枢着部２６及び塗布具持上げ部材１８の枢着部１９を軸ピン１６に枢着させるための枢着切欠き部２７が形成されている。この枢着切欠き部２７において、容器本体１１の底板１１ａが切り欠かれており、この切り欠かれた部分の底板１１ａの切欠き端面が、塗布具持上げ部材１８の枢着部１９に設けられたストッパー部２１としての当接面を当接させる底部切欠き端面２０となっている。
【００１３】
さらに、容器本体１１の他方の長辺部分２８には、これの中央部分に、蓋体１５に設けられた係着爪３２が着脱可能に係止される被係着部３１を備える係着切欠き部２９が形成されている。
【００１４】
蝶番部１４を介して容器本体１１に開閉可能に取り付けられる蓋体１５は、容器本体１１と略同様の略平面矩形形状を有する合成樹脂製の平板状の成形部品である。蓋体１５は、その一方の長辺部分の中央部分に枢着部２６を有している。容器本体１１の枢着切欠き部２７において、この枢着部２６を介して蝶番部１４の軸ピン１６に枢着されることにより、蓋体１５が容器本体１１に対して回動可能に取り付けられる。また蓋体１５の枢着部２６には、塗布具持上げ部材１８の枢着部１９が軸ピン１６に枢着される位置に、門形切欠き部３０が形成されている。この門形切欠き部３０において、塗布具持上げ部材１８の枢着部１９が、蓋体１５の枢着部２６の一部において軸ピン１６に取り付けられることになる。
【００１５】
そして、本実施形態では、門形切欠き部３０の天端面の内側角部は、下方に僅かに突出して線状の第２凸リブ２２ａを形成している（図２（ｂ）参照）。門形切欠き部３０の天端面は、蓋体１５を開く回動操作に伴って、当該門形切欠き部３０に配置された塗布具持上げ部材１８の枢着部１９の周方向の外周面に沿って周方向に回動すると共に、第２凸リブ２２ａは、塗布具持上げ部材１８の枢着部１９に形成された第１凸リブ２３ａと係止可能な蓋側係止部２２を構成することになる。
【００１６】
また、蓋体１５の他方の長辺部分には、これの中央部分に、上述のように、容器本体１１の係着切欠き部２９に設けられた被係着部３１に着脱可能に係止する係着爪３２が設けられている。さらに、蓋体１５の内側面には、これの略全域を覆って鏡３３が取り付けられている。
【００１７】
蝶番部１４の軸ピン１６に枢着されて所定の角度範囲内で回動することにより、塗布具収容部１３の底部１７の一部から傾斜した状態で突出する塗布具持上げ部材１８は、合成樹脂製の成形部品であって、蓋体１５の閉蓋時に塗布具収容部１３の底部１７の一部として配置されている平板部３４と、蝶番部１４の軸ピン１６に枢着される枢着部１９と、平板部３４と枢着部１９とを連結する曲折連結部３５とからなる。
【００１８】
平板部３４は、容器本体１１の上部開口面に取り付けた凹部形成プレート２４による塗布具収容部１３の底部１７における、化粧料収容部１２側かつ蝶番部１４側の角部分の矩形領域に、底部１７の一部として配置される部分である。また平板部３４は、蓋体１５が閉塞された状態においては、当該平板部３４と略同様の形状で底部１７に形成した切欠き開口３６を塞ぐように配設されて、この切欠き開口３６に嵌まった状態を保持する（図２（ａ）参照）。平板部３４は、蓋体１５の開蓋操作に伴って、塗布具持上げ部材１８が所定の角度範囲内で回動することにより、図１及び図３（ａ）に示すように、蝶番部１４とは反対側の先端部を上方にして傾斜した状態で、塗布具収容部１３の底部１７から上方に突出することになる。
【００１９】
これによって、塗布具収容部１３に嵌め込むようにして収容されていた塗布具は、平板部３４により持ち上げられて、少なくとも蝶番部１４とは反対側の部分の周縁部が、塗布具収容部１３の上面の開口縁部よりも上方に移動することになる。また少なくとも蝶番部１４とは反対側の部分の周縁部の下方には平板部３４が延設していないので、例えば蝶番部１４とは反対側の部分の周縁部を上下から挟みこむようにして手指で摘むことにより、塗布具を容易に取り出すことが可能になる。
【００２０】
曲折連結部３５は、蝶番部１４の軸ピン１６に枢着される枢着部１９と、塗布具収容部１３の底部１７の一部として設けられた平板部３４とを連結する部分である。曲折連結部３５は、容器本体１１及びこれの上部開口面に取り付けた凹部形成プレート２４による、塗布具収容部１３の蝶番部１４側の周壁部１３ａ（図１参照）の形状に沿うように、クランク状に曲折した形状を有している。曲折連結部３５はその外周面が塗布具収容部１３の周壁部１３ａの外周面に沿う形状に形成されているので、塗布具持上げ部材１８を設けた部分の意匠性を向上させることが可能になる。
【００２１】
塗布具持上げ部材１８の枢着部１９は、蓋体１５の枢着部２６に形成された門形切欠き部３０の範囲内で、蝶番部１４の軸ピン１６に枢着される部分である。枢着部１９は、略半長円形、或いは略半楕円形の断面形状を有しており、その中央を貫通する軸ピン１６に回動可能に取り付けられている。本実施形態では、枢着部１９には、その外周面に軸ピン１６を中心とした周方向を横断して、第１凸リブ２３ａが、軸ピン１６と平行な方向に線状に設けられている。また、枢着部１９には、上述の容器本体１１の枢着切欠き部２７に底板１１ａを切り欠いて形成した底部切欠き端面２０と対向する位置に、好ましくは平坦な当接面２１が設けられている。
【００２２】
ここで、本実施形態によれば、図２（ａ），（ｂ）に示す蓋体１５を閉じた状態の軸ピン１６に垂直な断面において、軸ピン１６の中心から蓋体１５の第２凸リブ２２ａ（蓋側係止部２２）に向う線分と、軸ピン１６の中心から塗布具持上げ部材１８の枢着部１９の第１凸リブ２３ａ（係止部２３）に向かう線分との間の角度θ1が、蓋体１５を開く回動開始位置から、塗布具持上げ部材１８が回動し始める蓋体１５の回動角度となる。また、容器本体１１の枢着切欠き部２７の底部切欠き端面２０と、塗布具持上げ部材１８の枢着部１９の当接面２１との間の角度θ2が、蓋体１５を開く回動操作に伴って塗布具持上げ部材１８の平板部３４が持ち上がる角度となる。すなわち、枢着部１９における当接面２１と係止部２３としての第１凸リブ２３ａの位置によって、蓋体１５の開蓋操作に伴って回動する塗布具持上げ部材１８の回動開始位置（角度）と回動終了位置（角度）が定められ、塗布具持上部材１８の回動の角度範囲が規制されることになる。またこれらの位置を調整することによって、塗布具持上げ部材１８が回動する角度範囲を適宜調整することが可能になる。
【００２３】
上述の構成を備える本実施形態では、図２（ａ），（ｂ）に示す蓋体１５を閉塞した状態から、蓋体１５を開く回動操作を始めると、図４に示す蓋体１５の第２凸リブ２２ａが塗布具持上げ部材１８の枢着部１９の第１凸リブ２３ａに当接して係止されるまでの間は、蓋体１５のみが回動して、塗布具持上げ部材１８の平板部３４は、塗布具収容部１３の底部１７における切欠き開口３６に嵌まった状態を保持する。本実施形態では、塗布具持上げ部材１８の平板部３４の上面が底部１７の上面と面一の状態にあることが好ましい。
【００２４】
蓋体１５をさらに回動させると、図５に示すように、蓋体１５の第２凸リブ２２ａが枢着部１９の第１凸リブ２３ａに係止され、係止された状態のまま、塗布具持上げ部材１８は、蓋体１５の回動に伴って回動し、平板部３４を押し上げるように傾斜させて塗布具収容部１３の底部１７から上方に突出させる。
【００２５】
蓋体１５と共に塗布具持上げ部材１８を回動させて、図６に示すように、枢着部１９の当接面２１が容器本体１１の底部切欠き端面２０に当接すると、塗布具持上げ部材１８はその回動がストップされて、平板部３４がそれ以上傾斜しない状態を保持する。ここで、蓋体１５をさらに回動させると、この回動力によって当該蓋体１５のみが回動可能となるように係止部２３と蓋側係止部２２との係止が解除される。本実施形態の場合、第２凸リブ２２ａや第１凸リブ２３ａなどの弾性変形によって、蓋体１５の第２凸リブ２２ａは塗布具持上げ部材１８の枢着部１９の第１凸リブ２３ａを乗り越え、図１及び図３（ａ），（ｂ）に示すように、蓋体１５をさらに大きく開くことが可能になる。
【００２６】
また、蓋体１５を閉じる際には、蓋体１５を逆方向に回動させれば、この逆方向の回動に伴って、蓋体１５の第２凸リブ２２ａが塗布具持上げ部材１８の第１凸リブ２３ａに当接して係止され、塗布具持上げ部材１８もまた逆方向に回動する。これによって塗布具持上げ部材１８は、平板部３４が塗布具収容部１３の底部１７の切欠き開口３６に嵌まった状態に復帰する（平板部３４の上面は化粧料収容部１２の底部１７の上面と面一にあることが好ましい）。蓋体１５をさらに逆方向に回動させれば、蓋体１５の第２凸リブ２２ａが塗布具持上げ部材１８の第１凸リブ２３ａを乗り越え、蓋体１５は容器本体１１の化粧料収容部１２及び塗布具収容部１３を閉塞するまで回動して、図２（ａ），（ｂ）に示す蓋体１５を開放する前の元の状態に復帰する。蓋体１５を閉じる際には、塗布具持上げ部材１８の平板部３４及び／又は平板部３４の上面に置かれた塗布具が塗布具持上げ部材の回動を制限するストッパーとして機能する。
【００２７】
したがって、本実施形態の化粧用コンパクトケース１０よれば、当該化粧用コンパクトケース１０を使用する際に、蓋体１５を開く回動操作を行えば、蓋体１５の回動に伴って塗布具持上げ部材１８が所定の角度範囲内で回動して、平板部３４を傾斜させた状態で塗布具収容部１３の底部１７から突出させることができるので、突出させた平板部３４により塗布具収容部１３に収容された塗布具を持ち上げて、その周縁部分を塗布具容部１３の上面の開口縁部よりも上方に移動させ、当該周縁部分を摘み易くして、塗布具を容器本体１１からスムーズに取り出すことが可能になる。
【００２８】
なお、本発明は上記実施形態に限定されることなく種々の変更が可能である。例えば、塗布具持上げ部材の塗布具収容部の底部から突出する部分は、平板状である必要は必ずしも無く、棒状であっても良い。また塗布具収容部の底部から突出する部分は、略矩形形状とする必要は必ずしも無く、化粧料収容部側及び蝶番部側の角部分の領域に設ける必要は必ずしも無い。塗布具収容部の底部の略全体を上方に突出させるようにしても良い。さらに、塗布具持上げ部材の平板部は、塗布具収容部１３の底部１７に形成された切欠き開口３６に嵌まる形態が好ましいが、底部１７の上面に延在するものであっても良い。
【００２９】
塗布具持上げ部材の係止部は、枢着部の周方向の周面に形成された線状の凸リブである必要は必ずしも無く、点状の凸リブ等であっても良い。また係止部として枢着部の周方向の外周面に形成された、蝶番部の軸ピンからの距離がこれの周方向両側の部分よりも大きくなった部分は、例えば半楕円断面形状を有するように形成された枢着部における長軸の近傍部分であって、短軸側から回動してきた蓋体の係止部を、当該長軸の近傍部分において摩擦力等によって滑らかに係止させると共に、反対の短軸側に滑らかに乗り越えさせるものでも良い。
【００３０】
さらに塗布具持上げ部材の係止部は、枢着部の周方向の外周面に形成する必要は必ずしも無い。例えば軸ピンと垂直な方向の枢着部の端面に係止部を形成して、この係止部に、例えば当該端面と対向配置される蓋体の枢着部の門形切欠き部の側面に設けた蓋側係止部を、乗り越え可能に係止させることもできる。塗布具持上げ部材の係止部や蓋体の係止部は、凸状の部分である必要は必ずしも無く陥没した凹状の部分であって良い。
【図面の簡単な説明】
【００３１】
【図１】本発明の好ましい一実施形態に係る化粧用コンパクトケースを示す、蓋体を開放した状態の斜視図である。
【図２】（ａ）は、本発明の好ましい一実施形態に係る化粧用コンパクトケースの構成を説明する、図１のＡ−Ａに沿った蓋体を閉塞した状態の断面図、（ｂ）は（ａ）のＢ部拡大図である。
【図３】（ａ）は、本発明の好ましい一実施形態に係る化粧用コンパクトケースの構成を説明する、図１のＡ−Ａに沿った蓋体を開放した状態の断面図、（ｂ）は（ａ）のＢ部拡大図である。
【図４】蓋体の回動に伴って塗布具持上げ部材を所定の角度範囲内で回動させる状況を説明する要部拡大図断面図である。
【図５】蓋体の回動に伴って塗布具持上げ部材を所定の角度範囲内で回動させる状況を説明する要部拡大図断面図である。
【図６】蓋体の回動に伴って塗布具持上げ部材を所定の角度範囲内で回動させる状況を説明する要部拡大図断面図である。
【符号の説明】
【００３２】
１０  化粧用コンパクトケース
１１  容器本体
１２  化粧料収容部
１３  塗布具収容部
１４  蝶番部
１５  蓋体
１６  軸ピン
１７  塗布具収容部の底部
１８  塗布具持上げ部材
１９  塗布具持上げ部材の枢着部
２０  底部切欠き端面
２１  ストッパー部（当接面）
２２  蓋側係止部
２２ａ  第２凸リブ
２３  係止部
２３ａ  第１凸リブ
２４  凹部形成プレート
２５  容器本体の一方の長辺部分
２６  蓋体の枢着部
２７  枢着切欠き部
３０  蓋体の枢着部の門形切欠き部
３４  塗布具持上げ部材の平板部
３５  塗布具持上げ部材の曲折連結部
３６  切欠き開口
【図１】
0005210689.tif 000002
【図２】
0005210689.tif 000003
【図３】
0005210689.tif 000004
【図４】
0005210689.tif 000005
【図５】
0005210689.tif 000006
【図６】
0005210689.tif 000007